(57)【特許請求の範囲】
【請求項１】
上生地および下生地からなる袋体の内部に羽毛が収容され、収容された羽毛の片寄り防止用のキルティング縫合部が桝目状に設けられた羽毛掛けふとんにおいて、
頭側又は足側のうち少なくともいずれか一方の端部には、ふとんの端面を形成するマチ部が設けられ、
前記キルティング縫合部の前記マチ部側の端部は、ふとん厚さ方向の中央部が、ふとん厚さ方向の両端部よりもふとん長手方向内側となるＶ字状の切り込みが形成され、
前記マチ部は、前記キルティング縫合部に対し、前記Ｖ字状の切り込みに固定されて、ふとん厚さ方向の中央部が、ふとん端縁よりもふとん長手方向内側に配されていることを特徴とする羽毛掛けふとん。
【請求項２】
請求項１に記載の羽毛掛けふとんにおいて、
前記上生地の長手方向端部がふとん厚さ方向の下方に折曲され、前記下生地の長手方向端部がふとん厚さ方向の上方に折曲され、前記上生地と下生地の各々の前記端部同士が縫着され、前記上生地及び前記下生地の前記両端部により前記マチ部が形成されていることを特徴とする羽毛掛けふとん。
【請求項３】
請求項１または２に記載の羽毛掛けふとんにおいて、
前記マチ部には、羽毛掛けふとんのカバーが着脱自在に係止される係止部が設けられていることを特徴とする羽毛掛けふとん。
【発明の詳細な説明】
【０００１】
【発明の属する技術分野】
本発明は羽毛掛けふとんに関する。
【０００２】
【従来の技術】
従来の一般的な羽毛掛けふとんとしては、上下の生地間に羽毛を所定量内包したものがある。この羽毛掛けふとんは、使用者の体温の発散を防止して保温性に優れるとともに、弾力性および使用の際の肌触りにも優れ、さらに、構造が簡単なので製造コストを比較的低く抑えることができる。
【０００３】
【発明が解決しようとする課題】
ところで、従来の羽毛掛けふとんは、ふとんカバーの内部に収容し、その４隅同士を係止して使用する。このため、頭側端部や足側端部において、ふとんとふとんカバーとが離れ、端部ではふとんカバーがたるんだ状態となってしまうという問題がある。
また、ふとんの頭側及び足側端部はテーパ状となっており、これら端部においては中央部に比べて内包されている羽毛量が少なくなっている。このため、布団の厚さが乏しく、端部においてふとんカバーに余剰が発生してカバーがたるんでしまう原因となっていた。
この問題を解決するために、ふとんの頭側端部とふとんカバーとをファスナーで連結することも考えられるが、ふとんの頭側端部がテーパ状であるため、ふとん使用時にファスナーが使用者の首に接触し、快適な使用感が得られないという問題があった。
【０００４】
本発明は、上記従来技術の有する問題点に鑑みてなされたものであり、ふとんと、ふとんカバーとの離脱を防ぐことができる羽毛掛けふとんを提供することを目的としている。
【０００５】
【課題を解決するための手段】
請求項１に記載の羽毛掛けふとんは、上生地および下生地からなる袋体の内部に羽毛が収容され、収容された羽毛の片寄り防止用のキルティング縫合部が桝目状に設けられた羽毛掛けふとんにおいて、頭側又は足側のうち少なくともいずれか一方の端部には、ふとんの端面を形成するマチ部が設けられ、前記キルティング縫合部の前記マチ部側の端部は、ふとん厚さ方向の中央部が、ふとん厚さ方向の両端部よりもふとん長手方向内側となるＶ字状の切り込みが形成され、前記マチ部は、前記キルティング縫合部に対し、前記Ｖ字状の切り込みに固定されて、ふとん厚さ方向の中央部が、ふとん厚さ方向の端縁よりもふとん長手方向内側に配されていることを特徴とする。
【０００６】
この羽毛掛けふとんにおいては、頭側又は足側端部の少なくともいずれか一方の端部にマチ部が設けられているため、端部にも十分に羽毛を内包させて十分な厚みを保つことができる。
そして、キルティング縫合部のマチ部側の端部は、ふとん厚さ方向の中央部が、ふとん厚さ方向の両端部よりもふとん長手方向内側となるＶ字状の切り込みが形成され、マチ部は、キルティング縫合部に対し、Ｖ字状の切り込みに固定されて、ふとん厚さ方向の中央部が、ふとん厚さ方向の端縁よりもふとん長手方向内側に配されているから、マチ部にはふとん長手方向内側に窪む凹部が形成される。このため、ふとんカバーを凹部に係止するようにすれば、ふとんカバーがふとん長手方向内側に引っ張られた状態とすることができる。
なお、マチ部は上生地または下生地と別の生地であってもよいし、上生地または下生地の一部であってもよい。
【０００７】
請求項２に記載の羽毛掛けふとんは、請求項１に記載の羽毛掛けふとんにおいて、前記上生地の長手方向端部がふとん厚さ方向の下方に折曲され、前記下生地の長手方向端部がふとん厚さ方向の上方に折曲され、前記上生地と下生地の各々の前記端部同士が縫着され、前記上生地及び前記下生地の前記両端部により前記マチ部が形成されていることを特徴とする羽毛掛けふとん。
【０００８】
この羽毛掛けふとんにおいては、上生地と下生地とが縫着された縫い目が形成される。この縫い目にふとんカバーを係止するようにすることができる。
【０００９】
請求項３に記載の羽毛掛けふとんは、請求項１または２に記載の羽毛掛けふとんにおいて、前記マチ部には、羽毛掛けふとんのカバーが着脱自在に係止される係止部が設けられていることを特徴とする。
【００１０】
この羽毛掛けふとんにおいては、ふとんカバーの頭側又は足側端部が羽毛掛けふとんから離脱しないように係止することができる。
【００１１】
【発明の実施の形態】
次に、本発明の実施形態について図面を参照して説明する。
図１に示したものは、本発明の一実施形態として示した羽毛掛けふとんの全体図である。本例の羽毛掛けふとんは、平面視における外観形状がほぼ矩形状となっている。
羽毛掛けふとん１は、羽毛の吹出防止加工を施されたそれぞれ矩形状の上下２枚のダウンプルーフ生地２，３（以下、それぞれ「上生地」、「下生地」と言う）の両側２辺が縫着されて結合され、その内部に、所定量の羽毛を収納している。
上生地２の頭側端部２ａがふとん厚さ方向の下方に折曲され、下生地３の頭側端部３ａがふとん厚さ方向の上方に折曲され、前記上生地２と下生地３の各々の頭側端部２ａ、３ａが互いに縫着されて縫い目９を形成しつつ、頭側端部２ａ、３ａによりマチ部５が構成されている。図のように、マチ部５は羽毛掛けふとん１の頭側端面となっており、マチ部５のふとん厚さ方向中央部に縫い目９が位置している。
図示は省略するが、足側も同様にしてマチ部５が形成されている。
これにより、羽毛掛けふとん１は閉塞構造になっており、内部の羽毛が外部へ吹き出ることはない。
また、羽毛掛けふとん１は、その製造段階で、公知のキルティング縫合部７が桝目状に施される。これにより、羽毛掛けふとん１内部での羽毛の偏りを防止できる。
【００１２】
図２に、マチ部５およびキルティング縫合部７の具体的構成を示した。
キルティング縫合部７は、上生地２に十字状に縫い付けられた上生地片７ａと、下生地３に十字状に縫い付けられた下生地片７ｂとの端縁同士が互いに縫着された立体キルティングである。
キルティング縫合部７の頭側端部は、上生地片７ａと下生地片７ｂとが互いにＶ字状の切り込み７ｃを形成するよう斜めにカットされ、その切り込み７ｃの２辺には、それぞれ足し布８ａおよび８ｂの一辺が縫着されている。そして、各足し布８ａ、８ｂの他辺に、上生地２の端部２ａ、下生地３の端部３ａがそれぞれ縫着される。
これにより、マチ部５には、ふとん長手方向内側にＶ字状の切り込み７ｃに沿って窪んだ凹部１０（図１参照）が形成された状態となり、縫い目９は羽毛掛けふとん１の頭側端縁１ａよりもふとん長手方向内側に位置する。
【００１３】
下生地３の端部３ａのふとん両側端３ｂは、下生地３に対して１８０度内側に折曲された状態で下生地３と共にその縁が縫われている。上生地２の端部２ａについても同一の処理がなされている。
【００１４】
縫い目９とキルティング縫合部７とが近接している部位には、上生地端部２ａと下生地端部３ａとの間に係止部材（係止部）１２が挟み込まれている。係止部材１２は、ひも状の部材の両端を上生地端部２ａと下生地端部３ａとの間に挟んだ状態で縫いつけられており、マチ部５の凹部１０に位置し、頭側端部の少なくとも両側と、該両側の間に少なくとも一カ所（図では２カ所）に設けられている。
【００１５】
このように構成された羽毛掛けふとん１は、ふとんカバーに収容して使用する。
ふとんカバー内に羽毛掛けふとん１を入れ、ふとんカバーの内側の所定位置に設けられたひもを、羽毛掛けふとんの係止部材１２に結びつける。係止部材１２はマチ部５の凹部１０に位置しているため、ふとんカバーは羽毛掛けふとん１の長手方向内側に引っ張られた状態で結びつけられることになる。
羽毛掛けふとん１の頭側及び足側両端部にはマチ部５が設けられているため、端部まで十分な厚さの羽毛を内包している。そして、ふとんカバーは羽毛掛けふとん１の長手方向内側に引っ張られた状態になっているから、ふとんカバーの端部まで隙間なく羽毛掛けふとん１が収容された状態となり、ふとんカバーに余剰・たるみが発生しない。
また、ふとん使用時に、使用者がふとんカバーを掴んでふとん１を襟元に引っ張ったとしても、ふとんカバーがふとん１から離脱してふとんカバーだけが引っ張られることがない。さらにまた、係止部材１２は縫い目９とキルティング縫合部７に位置しているため、縫合の耐久性が高い。
【００１６】
なお、キルティング縫合部は上生地片７ａと下生地片ｂとが縫着された構成としたが、一枚の生地（マチテープ）であってもよい。
【００１７】
【発明の効果】
以上説明したように、本発明の羽毛掛けふとんにおいては、頭側又は足側端部の少なくともいずれか一方の端部にマチ部が設けられているため、端部にも十分に羽毛を内包させて十分な厚みを保つことができる。そして、マチ部のふとん厚さ方向の中央部がふとん端縁よりもふとん長手方向内側方向において固定されているから、マチ部にはふとん長手方向内側に窪む凹部が形成される。このため、ふとんカバーを凹部に係止するようにすれば、ふとんカバーがふとん長手方向内側に引っ張られた状態とすることができ、ふとんカバーとふとんとが離脱することが防止される。
【図面の簡単な説明】
【図１】  本発明の一実施形態として示した羽毛掛けふとんの全体を示す斜視図である。
【図２】  同羽毛掛けふとんの端部の構造を示す分解斜視図である。
【符号の説明】
１    羽毛掛けふとん
２    ダウンプルーフ生地（上生地）
２ａ  上生地端部
３    ダウンプルーフ生地（下生地）
３ａ  下生地端部
５    マチ部
７    キルティング縫合部
１２  係止部材（係止部）
【図１】
0004637323.tif 000002
【図２】
0004637323.tif 000003